(57)【要約】【課題】無線通信可能な聴覚機器を提供すること。【解決手段】聴覚機器が提供され、当該聴覚機器は、音声を受信し、その受信した音声を対応する第１のオーディオ信号に変換するマイクロフォンと、第１のオーディオ信号を処理して、補聴機器のユーザの聴力損失を補う第２のオーディオ信号を得る信号プロセッサと、信号プロセッサの出力に接続され、第２のオーディオ信号を出力音声信号に変換するスピーカと、複数のアンテナ素子とスイッチ装置とを備えるアンテナシステムであって、電磁場の放射および受信のための前記アンテナシステムと相互接続され、無線通信のために信号プロセッサに接続される無線通信ユニットとを備える。スイッチ装置は、スイッチ制御情報に応じて、複数のアンテナ素子の内の第１のアンテナ素子を無線通信ユニットに接続し、複数のアンテナ素子の内の少なくとも第２のアンテナ素子を、聴覚機器の接地電位に接続する。【選択図】図４
2019004455.tif 000002
【特許請求の範囲】
【請求項１】
聴覚機器であって、
音声を受信するとともに、当該受信した音声を対応する第１のオーディオ信号に変換するマイクロフォンと、
前記第１のオーディオ信号を処理して、当該補聴機器のユーザの聴力損失を補う第２のオーディオ信号を得る信号プロセッサと、
前記信号プロセッサの出力に接続され、前記第２のオーディオ信号を出力音声信号に変換するスピーカと、
電磁場の放射および受信のためのアンテナシステムと相互接続された無線通信のために前記信号プロセッサに接続された無線通信ユニットであって、前記アンテナシステムが複数のアンテナ素子とスイッチ装置とを備える、前記無線通信ユニットと、
を備え、
前記スイッチ装置は、スイッチ制御情報に応じて、前記複数のアンテナ素子の内の第１のアンテナ素子を前記無線通信ユニットに接続し、前記複数のアンテナ素子の内の少なくとも第２のアンテナ素子を、前記聴覚機器の接地電位に接続するように構成される、聴覚機器。
【請求項２】
前記第１のアンテナ素子は、前記聴覚機器の第１の側に設けられ、前記第２のアンテナ素子は、前記聴覚機器の第２の側に設けられる、請求項１に記載の聴覚機器。
【請求項３】
前記補聴機器が、ユーザの耳の動作位置に装着されると、前記聴覚機器の前記第１の側がユーザの頭部に隣接する、請求項２に記載の聴覚機器。
【請求項４】
前記聴覚機器の設定の際に、前記スイッチ装置に前記スイッチ制御情報が提供される、請求項１から３のいずれか一項に記載の聴覚機器。
【請求項５】
前記聴覚機器がユーザの右耳または左耳に装着されるように設定されたという判定に応じて、前記スイッチ制御情報が提供される、請求項１から４のいずれか一項に記載の聴覚機器。
【請求項６】
前記スイッチ装置は、単一（限定数の）切替動作を実行するように構成される、請求項１から５のいずれか一項に記載の聴覚機器。
【請求項７】
前記聴覚機器は、少なくとも第３のアンテナ素子をさらに備え、前記第３のアンテナ素子は前記聴覚機器の前記接地電位に接続される、請求項１から６のいずれか一項に記載の聴覚機器。
【請求項８】
前記スイッチ制御情報は、電気的な部分を含む、請求項１から７のいずれか一項に記載の聴覚機器。
【請求項９】
前記スイッチ制御情報は機械的要素を含む、請求項１から８のいずれか一項に記載の聴覚機器。
【請求項１０】
前記聴覚機器は、コネクタ受入部とコネクタ要素とを備え、
前記コネクタ要素は、機械的スイッチ制御情報を提供するために、前記コネクタ受入部を介して前記スイッチ装置に係合するように構成される、請求項９に記載の聴覚機器。
【請求項１１】
前記コネクタ要素は、耳挿入レシーバコネクタ要素、イヤフックコネクタ、管状コネクタ等である、請求項１０に記載の聴覚機器。
【請求項１２】
前記聴覚機器は、所期の動作位置に設けられると、ユーザの耳の後ろに位置するように構成された少なくとも１つの耳かけモジュールを含み、
前記耳かけモジュールは、少なくとも前記信号プロセッサと少なくとも１つのアンテナ素子とを備える、請求項１から１１のいずれか一項に記載の聴覚機器。
【請求項１３】
聴覚機器を設定する方法であって、前記聴覚機器は、
音声を受信し、当該受信した音声を対応する第１のオーディオ信号に変換するマイクロフォンと、
前記第１のオーディオ信号を処理して、当該補聴機器のユーザの聴力損失を補う第２のオーディオ信号を得る信号プロセッサと、
前記信号プロセッサの出力に接続され、前記第２のオーディオ信号を出力音声信号に変換するスピーカと、
複数のアンテナ素子とスイッチ装置とを備えるアンテナシステムであって、電磁場の放射および受信のための前記アンテナシステムと相互接続され、無線データ通信のために前記信号プロセッサに接続される無線通信ユニット（送受信機）と、を備え、
前記方法は、
前記聴覚機器の所期の動作位置を決定することと、
前記聴覚機器の前記決定された所期の動作位置に応じて、前記スイッチ装置にスイッチ制御情報を提供することと、
前記受信したスイッチ制御情報に応じて、前記複数のアンテナ素子の内の第１のアンテナ素子が前記無線通信ユニットに接続され、前記複数のアンテナ素子の内の第２のアンテナ素子が前記聴覚機器の接地電位に接続されるように、前記スイッチ装置を切り替えることと、を含む方法。
【請求項１４】
前記スイッチ装置は、単一の切替動作を実行するように構成される、請求項１３に記載の方法。
【発明の詳細な説明】
【技術分野】
【０００１】
本発明は、ユーザの聴力損失を補う聴覚機器に関し、特に無線通信機能を有するために通信用のアンテナを備える聴覚機器に関する。
【背景技術】
【０００２】
近年、聴覚機器は周辺通信機能を拡大させている。遠隔制御、配偶者のマイクロフォン、別の聴覚機器との通信が実現されてきたが、最近ではスマートフォンやその他外部電子機器との直接通信が可能となっている。
【発明の概要】
【発明が解決しようとする課題】
【０００３】
聴覚機器は非常に小型で繊細な装置であり、上述の通信を実現するために、数多くの電子的および金属的構成要素をハウジング内に有する必要がある。そのハウジングは人の外耳道内または外耳の後ろに装着できる程小さくなくてはならない。このように多くの電子的および金属的構成要素が必要であること、さらに聴覚機器ハウジングが小型である必要があることで、無線通信機能を有する聴覚機器における無線周波数アンテナの使用に関する設計がかなり限定される。
【０００４】
さらに、聴覚機器においてアンテナ、典型的には無線周波数アンテナは、十分な電池寿命、あらゆる環境において頭部、耳、髪型のあらゆるサイズおよび形状に対する良好な通信、補聴器のサイズによる空間的制約やその他の設計的制限の中で可能な限り広い周波数帯を実現するように設計される必要がある。
【０００５】
本発明の目的は、上述の課題を少なくとも一部解決することであり、さらなる目的は無線通信可能な聴覚機器を提供することである。
【課題を解決するための手段】
【０００６】
第１の態様では聴覚機器が提供され、前記聴覚機器は、音声を受信し、当該受信した音声を対応する第１のオーディオ信号に変換するマイクロフォンと、前記第１のオーディオ信号を処理して、当該聴覚機器のユーザの聴力損失を補う第２のオーディオ信号を得る信号プロセッサと、前記信号プロセッサの出力に接続され、前記第２のオーディオ信号を出力音声信号に変換するスピーカと、複数のアンテナ素子とスイッチ装置とを備えるアンテナシステムであって、電磁場の放射および受信のための前記アンテナシステムと相互接続され、無線通信のために前記信号プロセッサに接続される無線通信ユニットと、を備える。前記スイッチ装置は、スイッチ制御情報に応じて、前記複数のアンテナ素子の内の第１のアンテナ素子を前記無線通信ユニットに接続し、前記複数のアンテナ素子の内の少なくとも第２のアンテナ素子を、前記聴覚機器の接地電位に接続するように構成される。
【０００７】
別の態様では聴覚機器を設定する方法が提供され、前記聴覚機器は、音声を受信し、当該受信した音声を対応する第１のオーディオ信号に変換するマイクロフォンと、前記第１のオーディオ信号を処理して、当該補聴器のユーザの聴力損失を補う第２のオーディオ信号を得る信号プロセッサと、前記信号プロセッサの出力に接続され、前記第２のオーディオ信号を出力音声信号に変換するスピーカと、複数のアンテナ素子とスイッチ装置とを備えるアンテナシステムであって、電磁場を放射および受信するための前記アンテナシステムと相互接続され、無線通信のために前記信号プロセッサに接続される無線通信ユニット（送受信機）と、を備える。
【０００８】
前記方法は、前記聴覚機器の所期の動作位置を決定することと、前記聴覚機器の前記決定された所期の動作位置に応じて、前記スイッチ装置にスイッチ制御情報を提供することと、前記受信したスイッチ制御情報に応じて、前記複数のアンテナ素子の内の第１のアンテナ素子が前記無線通信ユニットに接続され、前記複数のアンテナ素子の内の第２のアンテナ素子が前記聴覚機器の接地電位に接続されるように、前記スイッチ装置の切り替えを行うことと、を含む。
【０００９】
いくつかの実施形態では、前記スイッチ装置は単一の切替動作を実行するように構成される。
【００１０】
さらなる態様では聴覚機器が提供され、前記聴覚機器は、マイクロフォンと、スピーカと、電子回路と、電磁場の放射および受信のためのアンテナシステムと相互接続されて無線通信を行う無線通信ユニットとを備え、アンテナシステムは複数のアンテナ素子とスイッチ装置とを備える。前記スイッチ装置は、スイッチ制御情報に応じて、前記複数のアンテナ素子の内の第１のアンテナ素子を前記無線通信ユニットに接続し、前記複数のアンテナ素子の内の少なくとも第２のアンテナ素子を、前記聴覚機器の接地電位に接続するように構成される。
【００１１】
無線通信ユニットは、無線データ通信を含む無線通信を行うように構成され、そのために電磁場の放射および受信のためのアンテナと相互接続される。無線通信ユニットはトランスミッタ、レシーバ、送受信機といったトランスミッタとレシーバの組、無線機ユニット、を含み得る。無線通信ユニットは、当業者が知り得る任意のプロトコルを使用して通信を行うように構成されてもよい。当該プロトコルとしては、Ｂｌｕｅｔｏｏｔｈ  Ｌｏｗ  ＥｎｅｒｇｙやＢｌｕｅｔｏｏｔｈ  Ｓｍａｒｔ等を含むＢｌｕｅｔｏｏｔｈ（登録商標）、ＷＬＡＮ標準規格、製造業者特有のプロトコル、例えば、専用近接アンテナプロトコル、例えばプロプラエタリプロトコル、例えば低電力無線通信プロトコル、例えばＣＳＲメッシュ等が挙げられる。
【００１２】
聴覚機器は、聴覚機器のユーザの聴力損失を補う任意の聴覚機器、またはユーザに音声を届ける任意の聴覚機器等、任意の聴覚機器であってもよい。
【００１３】
いくつかの実施形態では、聴覚機器は所期の動作位置に設けられた際に、ユーザの耳の後ろに配置されるように構成された少なくとも１つの耳かけ（ＢＴＥ）モジュールを備える。耳かけモジュールは、従来から少なくとも信号プロセッサと無線通信ユニットとを備え、いくつかの実施形態では少なくとも１つのアンテナ素子を備える。典型的には、聴覚機器電池も、耳かけ要素内に設けられる。
【００１４】
聴覚機器は耳かけ型聴覚機器であってもよい。その場合、動作位置においてユーザの耳の後ろに装着されるように構成されたハウジング内に、耳かけモジュールの聴覚機器構成要素が組立部品として設けられる。典型的には、音声管が聴覚機器ハウジングからユーザの外耳道内へと延びる。
【００１５】
聴覚機器は、耳挿入レシーバ（ＲＩＴＥ）型聴覚機器であってもよい。その場合、使用中にレシーバはユーザの外耳道内等、耳内に配置されて、例えば耳あな（ＩＴＥ）モジュールの一部となる。一方、プロセッサ、無線通信ユニット、電池等のその他聴覚機器構成要素は耳かけモジュールとして設けられる。典型的には、管は耳あなモジュールと耳かけモジュールとを接続する。管を備える管モジュールは、さらなる聴覚機器構成要素やコネクタを備えてもよいことが想定される。
【００１６】
聴覚機器は、ユーザの耳内に設けられる、耳あなまたは完全外耳道挿入型聴覚機器であってもよい。この場合、耳あなモジュールはプロセッサ、無線通信ユニット、電池、マイクロフォン、スピーカ等を含む聴覚機器構成要素を備える。
【００１７】
耳あなモジュールは、外耳道内に延びる部位を１または複数有してもよい。したがって、耳あなモジュールは、耳内および外耳道内に配置されるように構成されてもよい。
【００１８】
上述のように、モジュールの任意組合わせ、およびモジュール間の聴覚機器構成要素の任意分散が考えられる。例えば、聴覚機器構成要素の多くが耳あなモジュールに設けられた聴覚機器は、例えば電池等の電源が耳の後ろモジュールに設けられて、電源接続のみが管モジュールを介して実現されてもよい。いくつかの例では、このような耳かけモジュールは、１または複数のアンテナ素子も備えてもよい。
【００１９】
例えば、いくつかの実施形態では、耳かけ聴覚機器は耳かけモジュールと、耳あなモジュールと、管モジュールのようなこれら２つのモジュール間の接続部を有するように設けられてもよい。典型的には、聴覚機器の構成要素はこれらモジュール間に分散されてもよい。多くの聴覚機器において、レシーバは耳あなモジュール内に配置される。
【００２０】
いくつかの実施形態では、聴覚機器は耳あなモジュールを有し、耳かけモジュールを有さなくてもよい。例えば、聴覚機器は、聴覚機器構成要素が全て設けられた耳あなモジュールから成ってもよい。いくつかの実施形態では、聴覚機器は耳あなモジュールと、耳あなモジュールに相互接続される追加モジュールを有してもよい。追加モジュールは、耳甲介内、耳輪内等、外耳内に設けられるように構成されてもよい。追加モジュールは、ユーザの耳の後ろ以外の、耳の任意の部分に配置されるように構成されてもよい。追加モジュールは、マイクロフォンおよび／またはその他トランスデューサ構成要素、電池等を備えてもよい。
【００２１】
この種の、およびその他種類の聴覚機器は、典型的にはＩＴＥ、耳あな型、フルシェル、ハーフシェル、ＩＴＣ、外耳道挿入型、極小耳あな型（ＩＩＣ）、完全外耳道挿入（ＣＩＣ）、外マイク耳あな型（ＭＩＨ）等の名称で市販されている。
【００２２】
なお、聴覚機器のスピーカは、本技術分野では「レシーバ」としても知られているが、他の聴覚機器構成要素との混同を避けるために、本明細書ではスピーカという用語を使用していることが理解されよう。
【００２３】
アンテナシステムは、複数のアンテナ素子とスイッチ装置とを備える。１または複数の実施形態において、複数のアンテナ素子は複数の導電性部材である。無線通信ユニットまたは接地電位に接続されたアンテナ素子は、電磁場を放射および受信するように構成されてもよい。複数のアンテナ素子は、それぞれ独立した素子であってもよく、少なくとも一部のアンテナ素子が自由端を有してもよい。
【００２４】
複数のアンテナ素子の内の、少なくとも第１のアンテナ素子は、無線通信ユニットに接続されて、アクティブ供給アンテナとなってもよい。複数のアンテナ素子の内の、少なくとも第２のアンテナ素子は、聴覚機器の接地電位に接続されて、パッシブ供給アンテナ素子となってもよい。
【００２５】
いくつかの実施形態では、第１のアンテナ素子は聴覚機器の第１の側に設けられ、第２のアンテナ素子は聴覚機器の第２の側に設けられる。第１のアンテナ素子と、第２のアンテナ素子とは、聴覚機器のそれぞれ反対側に設けられてもよい。例えば、第１のアンテナ素子と、第２のアンテナ素子とは、耳かけモジュールのそれぞれ反対側に設けられてもよい。第１のアンテナ素子と、第２のアンテナ素子とは、耳あなモジュールのそれぞれ反対側に設けられてもよい。
【００２６】
いくつかの実施形態では、第１のアンテナ素子と第２のアンテナ素子はそれぞれ、は少なくとも部分的に上述の第１モジュールおよび第２モジュールが設けられる。
【００２７】
いくつかの実施形態では、聴覚機器がユーザの耳の動作位置に装着されると、聴覚機器の第１の側がユーザの頭部に隣接する。その反対側は、聴覚機器の、聴覚機器がユーザの耳の動作位置に装着されると、ユーザの頭部から離間する方向に向く側である。例えば、耳かけ聴覚機器において反対側は、所期の動作位置に配置された際にユーザの耳たぶに向かう方向であってもよい。
【００２８】
ユーザの頭部に隣接する補聴器の第１の側に沿って設けられたアンテナ素子の方が、聴覚機器の反対側に沿って設けられたアンテナ素子よりも、ユーザの頭部によるアンテナ素子からの放射パターンへの影響を大きく受ける。ユーザの頭部による影響は、ユーザの頭部に隣接する補聴器の第１の側に沿って設けられたアンテナ素子に対して最大となる。ユーザの頭部から離間する方向に沿って設けられたまたは、ユーザの頭部による影響が聴覚機器により遮蔽される側のアンテナ素子に対しては、ユーザの頭部によるアンテナ素子からの放射パターンの影響が最大限抑えられ、最少となり得る。
【００２９】
アクティブアンテナ素子がユーザの頭部に隣接したアンテナシステムと、アクティブアンテナ素子がユーザの頭部から離れているアンテナシステムとの間の、放射電磁場の差は、アンテナシステムの全体的な性能に影響することが確認されている。
【００３０】
聴覚機器がユーザの頭部の所期の動作位置に装着されると、パッシブアンテナ素子がユーザの頭部に隣接し、アクティブアンテナ素子がユーザの頭部から最遠となる等のように聴覚機器の反対側に配置されることが保証されるように、アクティブアンテナ素子を切り替えることができることは有利である。
【００３１】
第１のアンテナ素子および第２のアンテナ素子は、互いの形態および形状が対応するように、対称的なアンテナ素子であってもよい。第１のアンテナ素子および第２のアンテナ素子は、自由空間における聴覚機器からの電磁放射のような、聴覚機器からの電磁放射が、第１のアンテナ素子または第２のアンテナ素子が無線機に接続されているか否かに関わらず全体として実質的に一定となるような形態および形状を有してもよい。
【００３２】
いくつかの実施形態では、第１のアンテナ素子および第２のアンテナ素子は、長さ、構造が同一または同様である等、互いに実質的に同じ形態および形状を有することができる。いくつかの他の実施形態では、第１のアンテナ素子および第２のアンテナ素子は、長さ、構造が異なる等、互いに実質的に異なる形態および形状を有してもよい。
【００３３】
無線通信ユニットに接続された１または複数のアンテナ素子は、接続されることで共振アンテナを形成してもよい。いくつかの実施形態では、聴覚機器のアンテナを形成するアンテナ素子は、共振アンテナであってもよい。いくつかの実施形態では、聴覚機器のアンテナを形成するアンテナ素子は、１つのブランチを有してもよく、当該１つのブランチはモノポールアンテナを形成してもよい。別の実施形態では、アンテナは、無線通信ユニットから延在する２つのブランチを有してもよい。当該２つのブランチは、ダイポールアンテナを形成してもよい。
【００３４】
いくつかの実施形態では、アンテナ素子は、無線通信ユニットに接続されて被駆動導体となる、２つのブランチを有してもよい。ブランチの形態と形状は互いに同様または同一でも、互いに異なっていてもよい。いくつかの実施形態では、２つのブランチはダイポールアンテナを形成してもよい。いくつかの実施形態では、アンテナ素子の両ブランチの長さは、聴覚機器からの電磁放射のための共振アンテナ素子を実現するように設定される。典型的には、アンテナ素子の長さは、ユーザの耳の所期の動作位置に配置された聴覚機器から射出される電磁放射の波長λに基づいて定義される。なお、自由空気中でアンテナが共振するためには、共振素子の長さは、聴覚機器から射出される電磁放射の波長λの１／４波長λ／４の奇数倍に対応するように選択される。
【００３５】
聴覚機器は、典型的には特定の周波数範囲または周波数帯内で、電磁場放射および受信を実行するように構成される。いくつかの実施形態では、周波数帯はアンテナ素子の共振周波数を含むように設定される。典型的には、アンテナ素子の長さは、ピーク共振周波数を中心とした、またはピーク共振周波数から広がる帯域等、当該特定の周波数帯内での使用のために最適化される。
典型的には、所望の周波数帯内等、特定の周波数で最適な共振が実現されるように選択されたもの等の特定の周波数または特定の周波数帯内において使用されるアンテナを最適化するように、アンテナ素子の長さは選択される。典型的には、アンテナは、ＧＳＭバンドまたはＷＬＡＮを含むＩＳＭバンド、例えばセルラーバンドまたはＷＬＡＮバンドを含むように最適化される。
【００３６】
周波数帯は、４３３ＭＨｚ、８００ＭＨｚ、９１５ＭＨｚ、１８００ＭＨｚ、２．４ＧＨｚ、５．８ＧＨｚ等から選択される周波数を含む周波数帯であってもよい。したがって、周波数帯はこれら周波数の内の任意のものを１つまたは複数含むＧＳＭバンドまたはＷＬＡＮバンド等のＩＳＭバンドとして選択されてもよい。
【００３７】
本明細書開示の聴覚機器は、ＩＳＭ周波数帯で動作するように構成されてもよい。好ましくは、アンテナは８００ＭＨｚ以上、１ＧＨｚ以上、１．５ＧＨｚから６ＧＨｚの間の周波数、１．５ＧＨｚから３ＧＨｚの間の周波数、２．４ＧＨｚの周波数等、少なくとも４００ＭＨｚの周波数で動作するように構成される。アンテナは、４００ＭＨｚと１ＧＨｚの間、８００ＭＨｚと１ＧＨｚの間、８００ＭＨｚと６ＧＨｚの間、８００ＭＨｚと３ＧＨｚの間等、４００ＭＨｚと６ＧＨｚとの間の周波数で動作するように最適化されてもよい。
【００３８】
ただし、本明細書で開示される聴覚機器は、当該周波数帯での動作に限定されるものではなく、任意の周波数帯で動作するように構成されてもよいことが想定される。
【００３９】
したがって、耳かけモジュールを有する聴覚機器等の聴覚機器には、聴覚機器のそれぞれ反対側、すなわち、第１の側および第２の側等に沿って設けられる第１のアンテナ素子および第２のアンテナ素子が設けられる。聴覚機器の例えば耳かけモジュール等がユーザの耳の所期の動作位置に装着された状態で、第１の側はユーザの頭部に対して遠位側、すなわちユーザの頭部から離間する方向を指す側であって、第２の側はユーザの頭部の最近傍等、ユーザの頭部に隣接する側である。
【００４０】
典型的には、聴覚機器は、製造現場側、および聴覚機器販売およびフィッティング現場の両方において、効率性のため、ユーザの右耳および左耳の両方の後ろ側に装着できるように製造される。聴覚機器の所期のユーザへのフィッティングの際、聴覚機器が特定のユーザの特定の耳の聴力損失を最適に補うために、設定およびフィッティングが行われる。したがってこのフィッティング処理により、聴覚機器は右耳または左耳専用とされる。いくつかの実施形態では、スイッチ制御情報がこの段階にて生成されてもよい。
【００４１】
聴覚機器はスイッチ装置を備え、スイッチ装置は複数のアンテナ素子の内の第１のアンテナ素子を無線通信ユニットに接続し、複数のアンテナ素子の内の少なくとも第２のアンテナ素子を聴覚機器の接地電位に接続するように構成される。このための切り替えは、スイッチ制御情報に応じて実行される。
【００４２】
いくつかの実施形態では、スイッチ装置は第１のスイッチ制御情報に応じて、複数のアンテナ素子の内の第１のアンテナ素子を無線通信ユニットに接続し、複数のアンテナ素子の内の少なくとも第２のアンテナ素子を聴覚機器の接地電位に接続するように構成される。スイッチ装置は第２のスイッチ制御情報に応じて、複数のアンテナ素子の内の第２のアンテナ素子を無線通信ユニットに接続し、複数のアンテナ素子の内の第１のアンテナ素子を聴覚機器の接地電位に接続するように構成される。
【００４３】
スイッチ装置は、スイッチ制御情報に応じて、アンテナ素子を無線通信ユニットまたは聴覚機器の接地電位に接続可能な任意の形態のスイッチ装置であってもよい。
【００４４】
いくつかの実施形態では、聴覚機器の初期設定時、聴力的フィッティング時、事前フィッティング時等、聴覚機器の設定中にスイッチ制御情報がスイッチ装置に提供される。
【００４５】
聴覚機器は、多くの特徴を有する複合的装置であって、さらに典型的には、ユーザに多くの選択肢が与えられている。そのため、例えばフィッティング時においてスイッチ装置にスイッチ制御情報が提供されるのが有利であり得る。
【００４６】
スイッチ制御情報は、例えば聴覚機器が使用中にユーザの右耳または左耳に装着されるように設定されているという判断に応じて、提供されてもよい。
【００４７】
したがって、スイッチ制御情報は、聴覚機器が使用中にユーザの右耳または左耳のいずれに装着されるように設定された、または設定されているという情報を含んでもよい。
【００４８】
スイッチ装置は、複数のアンテナ素子のうち、無線通信ユニットと接続されてアクティブアンテナとなるものを選択可能で、複数のアンテナ素子のうち、接地電位と接続されてパッシブアンテナ素子となるものを選択可能となるように構成されてもよい。
【００４９】
スイッチ装置を有することで、すなわち複数のアンテナ素子の内、無線通信ユニットに接続されるものを選択可能とすることで、聴覚機器の所期の使用の際のあらゆる特徴または聴覚機器の所期のユーザのあらゆる特徴に応じて、聴覚機器のアンテナシステムによる電磁放射を最適化できる。任意特徴は、例えば使用中の聴覚機器の所期の動作位置、ヘルメットの所期の使用方法（例えば、消防隊員、兵士、建設現場作業員等のヘルメットの着用義務がある作業者の場合）、所期のユーザの耳の形態および形状、髪型、メガネの着用有無、イヤホン、ピアスの有無等が挙げられる。
【００５０】
いくつかの実施形態では、スイッチ装置は、単一の切替動作のように、限定数の切替動作を実行するように構成される。いくつかの実施形態では、切替動作は、聴覚機器が聴覚機器フィッティングソフトウェアのような聴覚機器フィッティングシステムと通信する間にのみ実行されてもよい。
【００５１】
いくつかの実施形態では選択は、不変なものであってもよい。第１のアンテナ素子の無線通信ユニットへの接続は不変な接続であってもよい。同様に、第２のアンテナ素子の聴覚機器の接地電位への接続も不変なものであってもよい。いくつかの実施形態では、第１のアンテナ素子の無線通信ユニットへの接続は不変な接続であって、第２のアンテナ素子の聴覚機器の接地電位への接続は可逆および／または可変であってもよく、またはその逆であってもよい。
【００５２】
いくつかの実施形態では、切り替えによる第１のアンテナ素子の無線通信ユニットへの接続は不変、例えば半不変な接続であってもよく、少なくとも第２のアンテナ素子の接地電位への接続は可逆および／または可変であってもよい。
【００５３】
聴覚機器は少なくとも、聴覚機器の接地電位に接続される、第３のアンテナ素子を備えてもよい。スイッチ装置は、スイッチ制御情報に応じて、第３のアンテナ素子を接地電位に接続するように構成されてもよい。聴覚機器は、聴覚機器の接地電位に接続されて、パッシブアンテナ素子として機能するように構成される１または複数のアンテナ素子を有してもよい。スイッチ装置は、スイッチ制御情報に応じて、１または複数のアンテナ素子を接地電位に接続するように構成されてもよい。
【００５４】
アンテナシステムは複数のアンテナ素子を備えてもよい。いくつかの実施形態では、当該複数のアンテナ素子の内の１つ、例えば複数のアンテナ素子の内の単一の素子等は、設定の際に無線通信ユニットに接続される。複数のアンテナ素子の内の他の素子、例えば１つのアンテナ素子、２つのアンテナ素子（第２および第３のアンテナ素子等）、２つ以上のアンテナ素子等が、接地電位に接続され、パッシブアンテナ素子として、アンテナシステムが生成する所望の電磁場の生成に寄与してもよい。例えば、第３のアンテナ素子は、聴覚機器の別側、例えば耳かけモジュールの頂部側等の、耳かけモジュールの別側等に沿って配置されてもよい。第３のアンテナ素子は、聴覚機器の設定中に接地電位に接続されてもよい。
【００５５】
いくつかの実施形態では、スイッチ制御情報は電気的な部分を含む。いくつかの実施形態では、スイッチ制御情報は機械的な部分を含む。いくつかの実施形態では、スイッチ制御情報は、機械的な部分と電気的な部分とを含む。いくつかの実施形態では、スイッチ制御情報の機械的な部分に応じて実現される接続は、不変または半不変なものであってもよく、スイッチ制御情報の電気的な部分に応じて実現される接続は、可変であってもよい。
【００５６】
いくつかの実施形態では、スイッチ制御情報はフィッティングシステムから受信される。スイッチ制御情報は典型的には電気的情報である。いくつかの実施形態では、スイッチ制御情報は聴覚機器の信号プロセッサを介して取得される。
【００５７】
いくつかの実施形態では、聴覚機器はコネクタ受入部とコネクタ要素とを備え、コネクタ要素は、機械的スイッチ制御情報を提供するため、コネクタ受入部を介してスイッチ装置に係合するように構成される。
【００５８】
コネクタ要素は、耳挿入レシーバコネクタ要素、イヤフックコネクタ、管コネクタ等であってもよい。
【００５９】
例えば、聴覚機器のフィッティング中に、コネクタ要素は、耳かけモジュールまたは耳あなモジュールに対して組付けられるように構成されてもよい。コネクタ要素は、管モジュールの一部として、耳かけモジュールまたは耳あなモジュールに対して組付けられてもよい。
【００６０】
開示の特徴および実施形態は、組み合わせで、さらに本発明の任意の態様とともに使用可能であることが想定される。本発明の上述の、およびその他特徴および利点が、添付の図面を参照にする詳細な例示的実施形態の説明により、当業者に対してより明らかになろう。
【図面の簡単な説明】
【００６１】
【図１】典型的な聴覚機器のブロック図を示す。
【図２】耳かけモジュールおよび耳あなモジュールを有する聴覚機器を示す。
【図３】アンテナと無線通信ユニットとを有する耳あな式聴覚機器を示す。
【図４】アンテナと無線通信ユニットとを有する耳かけ式聴覚機器を示す。
【図５】スイッチ装置の概略図である。
【図６】機械的スイッチング制御情報を提供するためのプラグを示す。
【発明を実施するための形態】
【００６２】
図面を参照しながら、各種実施形態を以下で説明する。図面の全体を通して、同様の構造または機能の要素は同じ参照符号によって示されている。また、図面は実施形態の説明を容易にすることを意図するものに過ぎないことに留意すべきである。図面は、特許請求の範囲に記載された発明の包括的な説明としても、または特許請求の範囲に記載された発明の技術的範囲に対する制限としても意図されていない。加えて、図示した実施形態は、示されるすべての態様または利点を有する必要はない。特定の実施形態とともに記載される態様または利点は必ずしも、その実施形態に限定されず、示されていなかったり、または明示的に説明されていなくても、任意の他の実施形態で実施可能である。
【００６３】
ここで実施形態を、本発明の例示的実施形態が示されている添付の図面を参照して、以下でより完全に説明する。しかしながら、請求された発明は異なる形態で実施することができ、また本明細書で記載される実施形態に限定されるものとして解釈されるべきではない。
【００６４】
図１は、典型的な（従来技術の）聴覚機器１０のブロック図である。聴覚機器１０は、入ってくる音声を受信し、それをオーディオ信号、すなわち第１のオーディオ信号に変換するための第１のトランスデューサ、すなわちマイクロフォン１１を備える。第１のオーディオ信号は、信号プロセッサ１２に送られて処理されることで、補聴器のユーザの聴力損失を補う第２のオーディオ信号となる。レシーバ１３は、信号プロセッサ１２の出力に接続され、第２のオーディオ信号を出力音声信号に変換する。出力音声信号は、例えばユーザの聴力損失を補うよう変調された信号である。この出力音声が、トランスデューサ１４に送られる。典型的には、レシーバ１３とトランスデューサ１４とは組み合わされて、スピーカ１５と称される。これはレシーバ１３とトランスデューサ１４を含むことが示唆される。
【００６５】
聴覚機器信号プロセッサ１２はアンプ、コンプレッサ、ノイズリダクションシステム等の要素を備える。聴覚機器または補聴器は更に、出力信号を最適化するための、調整フィルター１８等のフィルター機能を有してもよい。補聴器は更に、電磁場の放射および受信のためのアンテナシステム１７と相互接続された、無線データ通信用の無線通信ユニット１６を備えてもよい。無線機または送受信機等の無線通信ユニット１６は、聴覚機器信号プロセッサ１２とアンテナシステム１７とに接続されることで、外部装置や別の聴覚機器と通信する。別の聴覚機器は、特に両耳用聴覚機器システムの場合、他方の耳における他方の聴覚機器である。聴覚機器１０は更に、電池等の電源１９を備える。
【００６６】
聴覚機器は、耳かけ式聴覚機器であってもよく、耳かけモジュール２０として設けられてもよい。
図２は、聴覚機器モジュールの概略図である。耳かけモジュール２０は、マイクロフォン１１と、プロセッサ１２と、無線機（すなわち無線通信ユニット）１６と、電源１９と、アンテナシステム１７の部品１７’および１７’’を有する。管モジュール２５は、アンテナシステム１７のその他部品１７’’’と、管要素２１とを備える。管要素は、ユーザの耳に音声を音響信号または電気信号として提供できる。耳あなモジュール２９はスピーカ１５を備える。
【００６７】
図２に示す構成は、あくまで例示的である。耳かけ補聴器は、耳かけモジュール２０と管モジュール２５のみを備える種類のものがある。耳あな補聴器または完全外耳道挿入補聴器は、耳あなモジュール２９のみを備え、耳あなモジュール２９がマイクロフォン１１、信号プロセッサ１２、無線機１６、電源１８、およびアンテナシステム１７を含む聴覚機器構成要素を備える種類のものがある。モジュール同士は、点線２２、２２’で示すように、機械的および／または電気的等、任意の形態で相互接続されてもよい。典型的には、コネクタが管、即ち管の第１および第２端に取り付けられる。
【００６８】
図２に示すように、耳かけモジュールは第１のアンテナ素子１７’および第２のアンテナ素子１７’’を備える。スイッチ装置３１は、信号プロセッサ１２より受信されるスイッチ制御情報２３に応じて、無線通信ユニットまたは無線機１６に接続されるのを、第１のアンテナ素子１７’と第２のアンテナ素子１７’’との間で切り替えるように構成されてもよい。第１および第２のアンテナ素子１７’’の内の他方は、接地電位に接続されてもよい。アンテナ素子１７’’’は第３のアンテナ素子であってもよく、いくつかの実施形態では、スイッチ装置は第１または第２のアンテナ素子に加えてまたは代えて、第３のアンテナ素子を接地電位に接続するように切り替えを行うように構成されてもよい。第３のアンテナ素子は、管モジュール、耳かけモジュール、耳あなモジュール等の両方のようにどこに配置されてもよいことが想定される。
【００６９】
聴覚機器の現行機種は、モジュールの組み合わせや内容について、幅広い選択肢や可能性があり得ることが理解されよう。例えば、耳あな聴覚機器は、電源が耳かけモジュールに配置されて、その他全ての聴覚機器構成要素を含む種類のものがある。その他非常に多様な選択肢が存在する。
【００７０】
各モジュールは、ハウジング内に設けられてもよい。耳かけモジュール２０の構成要素は、耳かけハウジングに設けられてもよい。耳あなモジュールの構成要素は、耳あなハウジングに設けられてもよい。その他同様である。
【００７１】
いくつかの実施形態では、アンテナシステム１７は耳かけハウジングまたは耳あなハウジング内に完全に収容されてもよい。すなわち、アンテナ部位がハウジングからはみ出ないように、またはハウジングがアンテナ素子の特殊部位を収容するための特殊な突起部を含むことがないように、収容が実現される。同様に、アンテナシステムは複数のハウジング内のそれぞれの中に完全に収容されてもよい。例えば耳かけハウジングおよび相互接続管または管モジュールハウジング内に収容されてもよい。
【００７２】
アンテナシステムのさらに別の実施形態や、さらに別の構成も考えられる。例えば、アンテナシステムは一部が１つのモジュールに設けられ、他部が１つまたは複数のモジュールに設けられてもよい。
【００７３】
図３は、本開示の一実施形態に係るアンテナシステム１７を有する例示的な耳あな聴覚機器３０を示す。この耳あな聴覚機器は、フェースプレート３９と、ハウジングまたはシェル４０とを備える。聴覚機器３０は、電磁場を放射および／または受信するアンテナシステム１７と相互接続される、無線通信用の無線通信ユニット３６を含む、聴覚機器構成要素を有する耳あなモジュール２９を備える。無線通信ユニット３６は聴覚機器信号プロセッサ３２に接続される。無線通信ユニット３６は、両耳用補聴器システムにおいて、例えば外部装置または他方の耳に配置された他方の聴覚機器等の他方の聴覚機器と通信するために、アンテナシステム１７と接続される。聴覚機器用の接地電位は、グランド３５として設けられる。
【００７４】
アンテナシステム１７は、スイッチ装置３１を備え、スイッチ装置３１は入力側が無線通信ユニット３６、第１の伝送線路３３、第２の伝送線路３４に接続されている。スイッチ装置３１は入力側がさらにグランド３５に接続されている。
【００７５】
スイッチ装置３１は、その出力において第１のアンテナ素子３７および第２のアンテナ素子３８に接続される。スイッチ装置３１は双方向スイッチを備え、第１のアンテナ素子３７の接続先を無線通信ユニット３６と接地電位３５との間で切り替える。同様に、スイッチ装置３１は第２のアンテナ素子３８の接続先を無線通信ユニット３６と接地電位３５との間で切り替える。図３に示すように、スイッチの状態により、第１のアンテナ素子３７が、点線３４２に示すように、グランド３５に接続される電位を有する状態で、伝送路３４１を介して無線通信ユニット３６に接続されるように構成され、第２のアンテナ素子３８が、点線３４３に示すように、無線通信ユニット３６に接続される電位を有する状態で、伝送路３４４を介して接地電位３５に接続されるように構成される。
【００７６】
第１のアンテナ素子３７と第２のアンテナ素子３８とは、対称面４０１に対して対称に配置されてもよい。図示のように、第１のアンテナ素子３７は第１の自由端３７１を有し、アンテナ素子３８は第２の自由端３８１を有する。したがって、無線通信ユニット３６に接続された状態の第１のアンテナ素子はモノポールアンテナとなり得る。同様に、無線通信ユニット３６に接続された状態の第２のアンテナ素子はモノポールアンテナとなり得る。
【００７７】
図４は、本開示の一実施形態に係るアンテナシステム１７を有する例示的な耳かけ聴覚機器５０を示す。この耳かけ聴覚機器は、ハウジングまたはシェル４２を備え、管要素２１と相互接続される。聴覚機器５０は、電磁場を放射および／または受信するアンテナシステム１７と相互接続される、無線通信用の無線通信ユニット４６を含む、聴覚機器構成要素を有する耳かけモジュールを備える。無線通信ユニット４６は聴覚機器信号プロセッサ（不図示）に接続される。無線通信ユニット４６は、両耳用補聴器システムにおいて、例えば外部装置または他方の耳に配置された他方の聴覚機器等の他方の聴覚機器と通信するために、アンテナシステム１７と接続される。聴覚機器用の接地電位は、グランド４５として設けられる。
【００７８】
アンテナシステム１７は、スイッチ装置４１を備え、スイッチ装置４１は入力側が無線通信ユニット４６、第１の伝送線路４３、第２の伝送線路４４に接続されている。スイッチ装置４１は入力側がさらにグランド４５に接続されている。
【００７９】
スイッチ装置４１は、その出力において第１のアンテナ素子４７および第２のアンテナ素子４８に接続される。スイッチ装置４１は双方向スイッチを備え、第１のアンテナ素子４７の接続先を無線通信ユニット４６と接地電位４５との間で切り替える。同様に、スイッチ装置４１は第２のアンテナ素子４８の接続先を無線通信ユニット４６と接地電位４５との間で切り替える。図４に示すように、スイッチの状態により、第１のアンテナ素子４７が、グランド４５に接続される電位を有する状態で、無線通信ユニット４６の出力４４１に接続されるように構成され、第２のアンテナ素子４８が、無線通信ユニット４６に接続される電位を有する状態で、伝送路４４２を介して接地電位４５に接続されるように構成される。
【００８０】
第１のアンテナ素子４７と第２のアンテナ素子４８とは、対称面５０１に対して対称に配置されてもよい。図示のように、第１のアンテナ素子４７は第１の自由端４７１を有し、アンテナ素子４８は第２の自由端４８１を有する。したがって、無線通信ユニット４６に接続された状態の第１のアンテナ素子はモノポールアンテナとなり得る。同様に、無線通信ユニット４６に接続された状態の第２のアンテナ素子はモノポールアンテナとなり得る。
【００８１】
聴覚機器５０は、第１の側５１と第２の側５２とを有し、第１のアンテナ素子は第１の側に沿って延在し、第２のアンテナ素子は第２の側に沿って延在する。ユーザの右耳に装着されるように設定された聴覚機器の場合、聴覚機器５０の第２の側５２がユーザの頭部に隣接する。
【００８２】
ユーザの左耳に装着されるように設定された聴覚機器の場合、聴覚機器５０の第１の側５１がユーザの頭部に隣接する。
【００８３】
したがって、ユーザの右耳に装着されるように設定された聴覚機器の場合、スイッチ装置が第１のアンテナ素子を無線通信ユニット４６に接続することが想定される。これにより、聴覚機器の第１の側でアクティブアンテナ素子が実現され、ユーザの頭部に隣接する聴覚機器の第２の側５２においてパッシブアンテナ素子が実現される。
【００８４】
同様に、ユーザの頭部の左耳に装着されるように設定された聴覚機器の場合、スイッチ装置が第２のアンテナ素子４８を無線通信ユニット４６に接続することが想定される。これにより、聴覚機器の第２の側５２でアクティブアンテナ素子が実現され、ユーザの頭部に隣接する聴覚機器の第１の側５１においてパッシブアンテナ素子が実現される。
【００８５】
スイッチ制御情報２３は信号プロセッサを介してスイッチ装置４１に送られ、信号プロセッサからスイッチ装置に制御入力として送られる。例えば、スイッチ制御情報２３はフィッティングシステムのような外部装置から、無線通信ユニットを介して聴覚機器プロセッサに送られてもよい。当該システムは、聴覚機器のユーザに対するフィッティングのためのソフトウェアを有するシステムである。
【００８６】
図５は、双方向スイッチ装置の概略図である。簡略化のため、単一の双方向スイッチングのみを示すが、スイッチ装置の切り替えの対象となるアンテナ素子がより多くてもよい。この場合、例えばユーザの頭部または聴覚機器の所期のユーザに対してより適切な電磁放射を実現するように、特定のアンテナ素子をより多く接地電位に接続できる。
【００８７】
第１のアンテナ素子３７は、無線通信装置３６の第１のアンテナ素子に接続された、スイッチ装置の第１の部位３１’に接続される。第２のアンテナ素子３８は、第２のアンテナ素子を接地電位３５に接続する、スイッチ装置の第２の部位３１’’に接続される。図５は、第１のアンテナ素子３７と、第２のアンテナ素子３８と、スイッチ装置３１’および３１’’とを備えるアンテナシステム１７を示す。
【００８８】
図６は、機械的スイッチング制御情報を提供するプラグを示す。耳かけモジュール２０、コネクタ５３、管２１により構成されるように図示される聴覚機器は、コネクタ受入部５５と、コネクタ要素５３とを備える。コネクタ要素は、機械的スイッチ制御情報を提供するよう、コネクタ受入部５５およびコネクタスイッチング部位５４を介してスイッチ装置３１に係合するように構成される。
【００８９】
コネクタ要素５３は、スイッチ装置を切り替えるように構成される場合、図６ａ）、図６ｂ）に示すように、スイッチング部位５４が設けられた簡易的な形態をとってもよい。図６ｂ）において、コネクタ要素は受入部５５に係合するように示され、スイッチング部位５４はスイッチ３１を図６ａ）に示す第１の位置から、第２の位置に切り替えるように示されている。コネクタ要素５３は、スイッチ装置を切り替えるように構成されない場合、図６ｃ）および図６ｄ）に示すように、スイッチング部位５４を有さない簡易的な形態をとってもよい。図６ｄ）において、コネクタ要素は受入部５５に係合するように示され、その際スイッチング部位５４が存在しないため、スイッチ装置３１は図６ｃ）に示す第１の位置に維持される。
【００９０】
いくつかの実施形態では、管とコネクタ要素はそれぞれ右耳、左耳用に設定されてもよい。したがって、コネクタ要素は右耳用に設定される場合、スイッチング部位５４が設けられ、左耳用に設定される場合、スイッチング部位５４が設けられないようにしてもよく、その逆であってもよい。
【００９１】
機械的手段により、スイッチ制御情報を提供する方法が多々存在することが、当業者により理解可能であろう。また、当業者であれば、機械的スイッチ制御情報を様々な方法で提供できることが理解されよう。
【００９２】
特定の実施形態が図示、説明されたが、請求項に係る発明が好ましい実施形態に限定する意図はないことが理解されよう。また、当業者であれば、請求項に係る発明の精神、範囲から逸脱することなく、様々な変更や変形が可能であることが明らかであろう。したがって、明細書および図面は限定的ではなく、例示的なものとして解されるべきである。請求項に係る発明は、代替物、変形例、均等物を網羅するものとする。
【符号の説明】
【００９３】
１０、３０、５０：聴覚機器
１１：第１のトランスデューサマイクロフォン
１２：信号プロセッサ
１３：レシーバ
１４：トランスデューサ
１５：スピーカ
１６：無線通信ユニット
１７：アンテナシステム
１７’：第１のアンテナ素子
１７’’：第２のアンテナ素子
１７’’’：第３のアンテナ素子
１８：補償フィルター
１９：電源
２０：耳かけモジュール
２１：管要素
２２、２２’：相互接続
２３：スイッチ制御情報
２４：スイッチ装置
２５：管モジュール
２９：耳あなモジュール
３１、３１’、３１’’、４１：スイッチ装置
３２：信号プロセッサ
３３、３４、４３、４４：伝送線路
３５、４５：グランド
３６、４６：無線通信ユニット
３７、４７：第１のアンテナ素子
３８、４８：第２のアンテナ素子
３７１、４７１：第１のアンテナ素子の自由端
３８１、４８１：第２のアンテナ素子の自由端
３９：フェースプレート
４０、４２  ハウジング、シェル
４０１、５０１：対称面
４３、４４：伝送線路
５１：第１の側
５２：第２の側
５３：コネクタ
５４：コネクタスイッチング部位
５５：コネクタ受入部
４４１：出力
４４２：伝送路
【図１】
2019004455.tif 000003
【図２】
2019004455.tif 000004
【図３】
2019004455.tif 000005
【図４】
2019004455.tif 000006
【図５】
2019004455.tif 000007
【図６】
2019004455.tif 000008
【手続補正書】
【提出日】平成30年7月20日(2018.7.20)
【手続補正１】
【補正対象書類名】明細書
【補正対象項目名】００９２
【補正方法】変更
【補正の内容】
【００９２】
特定の実施形態が図示、説明されたが、請求項に係る発明が好ましい実施形態に限定する意図はないことが理解されよう。また、当業者であれば、請求項に係る発明の精神、範囲から逸脱することなく、様々な変更や変形が可能であることが明らかであろう。したがって、明細書および図面は限定的ではなく、例示的なものとして解されるべきである。請求項に係る発明は、代替物、変形例、均等物を網羅するものとする。本開示により、下記項目に記載された構成が把握される。
［項目１］
聴覚機器であって、
音声を受信するとともに、当該受信した音声を対応する第１のオーディオ信号に変換するマイクロフォンと、
前記第１のオーディオ信号を処理して、当該補聴機器のユーザの聴力損失を補う第２のオーディオ信号を得る信号プロセッサと、
前記信号プロセッサの出力に接続され、前記第２のオーディオ信号を出力音声信号に変換するスピーカと、
電磁場の放射および受信のためのアンテナシステムと相互接続された無線通信のために前記信号プロセッサに接続された無線通信ユニットであって、前記アンテナシステムが複数のアンテナ素子とスイッチ装置とを備える、前記無線通信ユニットと、
を備え、
前記スイッチ装置は、スイッチ制御情報に応じて、前記複数のアンテナ素子の内の第１のアンテナ素子を前記無線通信ユニットに接続し、前記複数のアンテナ素子の内の少なくとも第２のアンテナ素子を、前記聴覚機器の接地電位に接続するように構成される、聴覚機器。
［項目２］
前記第１のアンテナ素子は、前記聴覚機器の第１の側に設けられ、前記第２のアンテナ素子は、前記聴覚機器の第２の側に設けられる、項目１に記載の聴覚機器。
［項目３］
前記補聴機器が、ユーザの耳の動作位置に装着されると、前記聴覚機器の前記第１の側がユーザの頭部に隣接する、項目２に記載の聴覚機器。
［項目４］
前記聴覚機器の設定の際に、前記スイッチ装置に前記スイッチ制御情報が提供される、項目１から３のいずれか一項に記載の聴覚機器。
［項目５］
前記聴覚機器がユーザの右耳または左耳に装着されるように設定されたという判定に応じて、前記スイッチ制御情報が提供される、項目１から４のいずれか一項に記載の聴覚機器。
［項目６］
前記スイッチ装置は、単一（限定数の）切替動作を実行するように構成される、項目１から５のいずれか一項に記載の聴覚機器。
［項目７］
前記聴覚機器は、少なくとも第３のアンテナ素子をさらに備え、前記第３のアンテナ素子は前記聴覚機器の前記接地電位に接続される、項目１から６のいずれか一項に記載の聴覚機器。
［項目８］
前記スイッチ制御情報は、電気的な部分を含む、項目１から７のいずれか一項に記載の聴覚機器。
［項目９］
前記スイッチ制御情報は機械的要素を含む、項目１から８のいずれか一項に記載の聴覚機器。
［項目１０］
前記聴覚機器は、コネクタ受入部とコネクタ要素とを備え、
前記コネクタ要素は、機械的スイッチ制御情報を提供するために、前記コネクタ受入部を介して前記スイッチ装置に係合するように構成される、項目９に記載の聴覚機器。
［項目１１］
前記コネクタ要素は、耳挿入レシーバコネクタ要素、イヤフックコネクタ、管状コネクタ等である、項目１０に記載の聴覚機器。
［項目１２］
前記聴覚機器は、所期の動作位置に設けられると、ユーザの耳の後ろに位置するように構成された少なくとも１つの耳かけモジュールを含み、
前記耳かけモジュールは、少なくとも前記信号プロセッサと少なくとも１つのアンテナ素子とを備える、項目１から１１のいずれか一項に記載の聴覚機器。
［項目１３］
聴覚機器を設定する方法であって、前記聴覚機器は、
音声を受信し、当該受信した音声を対応する第１のオーディオ信号に変換するマイクロフォンと、
前記第１のオーディオ信号を処理して、当該補聴機器のユーザの聴力損失を補う第２のオーディオ信号を得る信号プロセッサと、
前記信号プロセッサの出力に接続され、前記第２のオーディオ信号を出力音声信号に変換するスピーカと、
複数のアンテナ素子とスイッチ装置とを備えるアンテナシステムであって、電磁場の放射および受信のための前記アンテナシステムと相互接続され、無線データ通信のために前記信号プロセッサに接続される無線通信ユニット（送受信機）と、を備え、
前記方法は、
前記聴覚機器の所期の動作位置を決定することと、
前記聴覚機器の前記決定された所期の動作位置に応じて、前記スイッチ装置にスイッチ制御情報を提供することと、
前記受信したスイッチ制御情報に応じて、前記複数のアンテナ素子の内の第１のアンテナ素子が前記無線通信ユニットに接続され、前記複数のアンテナ素子の内の第２のアンテナ素子が前記聴覚機器の接地電位に接続されるように、前記スイッチ装置を切り替えることと、を含む方法。
［項目１４］
前記スイッチ装置は、単一の切替動作を実行するように構成される、項目１３に記載の方法。
【外国語明細書】
2019004455000001.pdf
2019004455000002.pdf
2019004455000003.pdf
2019004455000004.pdf